(57)【要約】【課題】画像データを高速に転送可能にすることにより、ボトルネックが生じにくくしたＸ線平面検出器、及びそのＸ線平面検出器を用いた画像データ転送システムを提供する。【解決手段】画像データ転送システム１０は、患者診察室１内に、患者を通過したＸ線を検出して画像データとするＸ線平面検出器４を備え、他方、患者診察室１とは別室に設けられた医師診断室２内に、Ｘ線平面検出器４から転送された画像データを受信して表示等する外部機器６を備えている。また、患者診察室１内のＸ線平面検出器４と医師診断室２内の外部機器６とは、２つの画像転送手段１１ａ，１１ｂによって接続され、Ｘ線平面検出器４において２つに分割された画像データがそれぞれ２つの画像転送手段１１ａ，１１ｂによって外部機器６へ転送される。【選択図】図１
2012152507.tif 000002
【特許請求の範囲】
【請求項１】
取得した画像データを複数に分割し、複数の転送手段で外部機器に転送するＸ線平面検出器であって、
測定すべき対象に照射されたＸ線を撮影して画像データに変換するＸ線撮影部と、
前記転送手段の数に応じて、前記画像データを１画素毎、縦方向に１ライン毎、横方向に１ライン毎、又は上下若しくは左右方向に、分割する画像分割部と、
前記分割された画像データをそれぞれ、前記複数の転送手段を用いて外部へと転送する画像転送部と、
を有することを特徴とするＸ線平面検出器。
【請求項２】
前記画像分割部は、前記画像データを規格の異なった２本以上の転送手段を用いて転送する場合に、前記転送手段の転送速度の比率に応じた比率で前記転送手段により転送すべき画像データ量を分割することを特徴とする請求項１記載のＸ線平面検出器。
【請求項３】
Ｘ線を照射して取得した画像データを複数に分割するＸ線平面検出器と、前記分割した複数の画像データをそれぞれ転送する複数の転送手段と、前記分割して転送された複数の画像データを受信して元の画像データに復元する外部機器とを有する画像データ転送システムであって、
前記Ｘ線平面検出器は、測定すべき対象に照射されたＸ線を撮影して画像データに変換するＸ線撮影部と、前記転送手段の数に応じて、前記画像データを１画素毎、縦方向に１ライン毎、横方向に１ライン毎、又は上下若しくは左右方向に、分割する画像分割部と、前記分割された画像データをそれぞれ、前記複数の転送手段を用いて外部へと転送する画像転送部と、を備えることを特徴とする画像データ転送システム。
【請求項４】
前記画像分割部は、前記画像データを規格の異なった２本以上の転送手段を用いて転送する場合に、前記転送手段の転送速度の比率に応じた比率で前記転送手段により転送すべき画像データ量を分割することを特徴とする請求項３記載の画像データ転送システム。
【発明の詳細な説明】
【技術分野】
【０００１】
本発明の実施の形態は、外部機器との間で画像データの転送を行うＸ線平面検出器、そのＸ線平面検出器を用いた画像データ転送システムに関する。
【背景技術】
【０００２】
Ｘ線診断で用いられてきたＸ線フィルムに代わり、現像が不要で瞬時に高解像度のＸ線画像を見ることができるＸ線平面検出器(Flat Panel Detector、以下、「ＦＰＤ」とも記す)が開発されている（例えば、特許文献１参照）。
【０００３】
このＸ線平面検出器の画像はデジタルデータであるため、コンピュータや通信ネットワークによる電子ファイルでのデータ保存、データ送信が可能となる。このため、医師と患者にとって有用な新しい医療システムのＩＴ（情報技術）化が推進するものと考えられる。
【０００４】
図１３に、従来の画像データ転送システムの構成例を示す。
【０００５】
この画像データ転送システム５０は、患者診察室１内に、Ｘ線を発生させるＸ線発生器３と、患者を通過したＸ線を検出して画像データとするＸ線平面検出器８と、Ｘ線発生器３で発生させるＸ線を制御するＸ線コントローラ５とを備え、他方、患者診察室１とは別室に設けられた医師診断室２内に、Ｘ線平面検出器８から転送された画像データを受信して表示等する外部機器６と、外部機器６と接続されＸ線コントローラ５を制御する制御装置７とを備えている。また、患者診察室１内のＸ線平面検出器８と医師診断室２内の外部機器６とは、Ｅｔｈｅｒｎｅｔ（登録商標）、ＬＡＮケーブル、光ファイバなどの有線又は無線ＬＡＮなどの無線による画像データ転送手段９によって接続され、Ｘ線平面検出器８から出力される画像データが外部機器６へ転送されるように構成されている。
【０００６】
また、Ｘ線平面検出器８は、その内部に、図１４に示すように、撮影したＸ線を画像データへと変換するＸ線撮影部８ａと、その画像データを蓄積する画像蓄積部８ｂと、蓄積された画像データを外部機器６へと転送する画像転送部８ｃとを有している。
【０００７】
この画像データ転送システム５０による処理手順を説明すると、先ず、Ｘ線発生器３により患者へ向けてＸ線を発生し、患者を通して入射したＸ線をＸ線平面検出器８のＸ線撮影部８ａによって撮影し、画像データへと変換する。
【０００８】
次に、画像蓄積部８ｂにその画像データを蓄積し、更に、画像転送部８ｃによってその全（フル）画像データを外部機器６へ転送し、外部機器６により画像データを再構成して画像表示を行う。
【先行技術文献】
【特許文献】
【０００９】
【特許文献１】特開２００９−１２８０２３号公報
【発明の概要】
【発明が解決しようとする課題】
【００１０】
上記のような処理手順において、画像データは、Ｘ線平面検出器８内部の画像蓄積部８ｂに一旦蓄積されるが、この画像データは一枚当たりの情報量が数ギガバイト〜数十ギガバイトと巨大なサイズとなる。このため、外部機器６へ画像データを転送する際に、データ転送の流れが滞る所謂「ボトルネック」が発生する可能性がある。もしボトルネックが発生した場合は、Ｘ線撮影から外部機器６にて撮影画像を閲覧するまでの間にタイムラグが生じてしまう。
【００１１】
本発明は、上記課題に鑑みてなされたものであり、画像データを高速に転送可能にすることにより、ボトルネックが生じにくくしたＸ線平面検出器、及びそのＸ線平面検出器を用いた画像データ転送システムを提供することを目的とする。
【課題を解決するための手段】
【００１２】
上述の目的を達成するため、本Ｘ線平面検出器は、取得した画像データを複数に分割し、複数の転送手段で外部機器に転送するＸ線平面検出器であって、測定すべき対象に照射されたＸ線を撮影して画像データに変換するＸ線撮影部と、前記転送手段の数に応じて、前記画像データを１画素毎、縦方向に１ライン毎、横方向に１ライン毎、又は上下若しくは左右方向に、分割する画像分割部と、前記分割された画像データをそれぞれ、前記複数の転送手段を用いて外部へと転送する画像転送部と、を有することを特徴とする。
【００１３】
また、上述の目的を達成するため、本画像データ転送システムは、Ｘ線を照射して取得した画像データを複数に分割するＸ線平面検出器と、前記分割した複数の画像データをそれぞれ転送する複数の転送手段と、前記分割して転送された複数の画像データを受信して元の画像データに復元する外部機器とを有する画像データ転送システムであって、前記Ｘ線平面検出器は、測定すべき対象に照射されたＸ線を撮影して画像データに変換するＸ線撮影部と、前記転送手段の数に応じて、前記画像データを１画素毎、縦方向に１ライン毎、横方向に１ライン毎、又は上下若しくは左右方向に、分割する画像分割部と、前記分割された画像データをそれぞれ、前記複数の転送手段を用いて外部へと転送する画像転送部と、を備えることを特徴とする。
【図面の簡単な説明】
【００１４】
【図１】本発明の第１の実施の形態に係る画像データ転送システムの全体構成を示すブロック図である。
【図２】図１のＸ線平面検出器の内部構成を示すブロック図である。
【図３】本発明の第１の実施の形態に係る画像データ転送システムにおける画像データの２分割方法を説明するための画像の概略図である。
【図４】本発明の第２の実施の形態に係る画像データ転送システムにおける画像データの２分割方法を説明するための画像の概略図である。
【図５】図４の画像を鏡像左９０度回転させた画像の概略図である。
【図６】本発明の第３の実施の形態に係る画像データ転送システムの全体構成を示すブロック図である。
【図７】本発明の第４の実施の形態に係る画像データ転送システムの全体構成を示すブロック図である。
【図８】本発明の第４の実施の形態に係る画像データ転送システムにおける画像データの３分割方法を説明するための画像の概略図である。
【図９】本発明の第５の実施の形態に係る画像データ転送システムにおける画像データの３分割方法を説明するための画像の概略図である。
【図１０】図９の画像を鏡像左９０度回転させた画像の概略図である。
【図１１】画像データを２分割した他の例を示す画像の概略図であり、（ａ）は上半分と下半分に分割した例、（ｂ）は右半分と左半分に分割した例である。
【図１２】画像データを３分割した他の例を示す画像の概略図であり、（ａ）は上、中、下に分割した例、（ｂ）は右、中、左に分割した例である。
【図１３】従来の画像データ転送システムの全体構成を示すブロック図である。
【図１４】図７のＸ線平面検出器の内部構成を示すブロック図である。
【発明を実施するための形態】
【００１５】
以下、図面を参照して、本発明の実施の形態について説明する。
【００１６】
［第１の実施の形態］
（本画像データ転送システムの全体構成）
図１に、本発明の第１の実施の形態に係る画像データ転送システムの全体構成を示す。
【００１７】
この画像データ転送システム１０は、患者診察室１内に、Ｘ線を発生させるＸ線発生器３と、患者を通過したＸ線を検出して画像データとするＸ線平面検出器４と、Ｘ線発生器３で発生させるＸ線をコントロールするＸ線コントローラ５とを備え、他方、患者診察室１とは別室に設けられた医師診断室２内に、Ｘ線平面検出器４から転送された画像データを受信して表示等する外部機器６と、外部機器６と接続されＸ線コントローラ５を制御する制御装置７とを備えている。また、患者診察室１内のＸ線平面検出器４と医師診断室２内の外部機器６とは、２つの画像転送手段１１ａ，１１ｂによって接続され、Ｘ線平面検出器４から出力される画像データが外部機器６へ転送されるように構成されている。
【００１８】
（Ｘ線平面検出器４）
Ｘ線平面検出器４は、その内部に、図２に示すように、撮影したＸ線を画像データへと変換するＸ線撮影部４ａと、その画像データを蓄積する画像蓄積部４ｂと、その画像データを分割する画像分割部４ｃと、分割された画像データを２つの画像転送手段１１ａ，１１ｂによって外部機器６へと転送する画像転送部４ｄとを有している。
【００１９】
（画像転送手段１１ａ，１１ｂ）
画像転送手段１１ａ，１１ｂには、Ｅｔｈｅｒｎｅｔ、ＬＡＮケーブル、光ファイバなどの有線ケーブル、又は無線ＬＡＮなどの無線を用いることができる。
【００２０】
具体的には、IEEE 802.3系(Ethernet（登録商標）)、IEEE 802.11系(Wireless LAN)、IEEE 802.15.1(Bluetooth)、USB 1.1/2.0/3.0、Wireless USB、DVI/HDMI/DisplayPort、GPIB (IEEE-488)、IEEE-1394、Fibre Channel、IrDA、ANSI/TIA/EIA-232-F(RS-232C)などを挙げることができる。
【００２１】
本実施の形態では、画像転送手段１１ａ，１１ｂは、同一規格の転送形式を採用している。例えば、上記に挙げたもののうちの１つを用いたり、Gigabit Ethernet の1つである1000BASE-T (IEEE 802.3ab) を用いたりすることができる。
【００２２】
（画像データ転送方法）
上記に示した単一規格の転送路を２本使用した場合の画像データ転送方法について説明する。
【００２３】
まず、Ｘ線撮影部４ａにおいて、撮影したＸ線を画像データへと変換し、画像蓄積部４ｂでその画像データを蓄積する。
【００２４】
次に、画像分割部４ｃにおいて、画像データを図３に示すように１画素毎に２つのエリア（便宜上、Ａエリア・Ｂエリアと呼称する）に分割する。
【００２５】
さらに、画像転送部４ｄにより、Ａエリアについては画像転送手段１１ａを、Ｂエリアについては画像転送手段１１ｂを用いて、サフィックス（数字の部分）の番号の若い順から、Ａエリア、Ｂエリアの画像データを外部機器６へ転送する。
【００２６】
具体的には、以下の順番で転送される。
【００２７】
Ａ11→Ａ12→Ａ13→Ａ21→Ａ22→Ａ23→Ａ31→Ａ32→Ａ33→Ａ41→Ａ42→Ａ43→Ａ51→Ａ52→Ａ53→Ａ61→Ａ62→Ａ63
Ｂ11→Ｂ12→Ｂ13→Ｂ21→Ｂ22→Ｂ23→Ｂ31→Ｂ32→Ｂ33→Ｂ41→Ｂ42→Ｂ43→Ｂ51→Ｂ52→Ｂ53→Ｂ61→Ｂ62→Ｂ63
この際、Ａエリアの画像データとＢエリアの画像データは並列で転送されることになるので、従来の単一転送路と比較して２倍高速に転送される。
【００２８】
なお、図３では、紙面の都合上、６画素×６画素の画像データとして表記してあるが、あくまで一例であり、横の画素数、縦の画素数は任意の値を選ぶことが出来る。
【００２９】
また、この図を、左若しくは右に９０度回転させたもの、１８０度回転させたもの、鏡像、鏡像を左若しくは右に９０度回転させたもの、又は鏡像を１８０度回転させたものであっても構わない。
【００３０】
分割して転送された複数の画像データは、外部機器６で受信され、元の画像データに復元される。
【００３１】
（本実施の形態の効果）
本実施の形態では、画像データをＡエリアとＢエリアに２分割して、それぞれ画像転送手段１１ａ，１１ｂにより並列して転送しているので、従来の単一転送路と比較して２倍の速度で転送される。このため、データ転送に伴う「ボトルネック」が発生しにくくなる。
【００３２】
また、画像転送手段１１ａ，１１ｂとして同一規格の転送形式を用いているので、画像データの転送速度が同じとなり、画像分割の手法が単純になる。
【００３３】
［第２の実施の形態］
本実施の形態では、画像分割部４ｃにおいて、図４に示すように、画像データを横方向に一つ置きにＡエリア・Ｂエリアの２つのエリアに分割するようにした以外は、第１の実施の形態に係る画像データ転送システムと同様である。
【００３４】
転送に際しては、画像分割部４ｃにおいて、画像データを図４に示すように、横方向に一つ置きにＡエリア・Ｂエリアの２つのエリアに分割し、画像転送部４ｄにより、Ａエリアについては画像転送手段１１ａを、Ｂエリアについては画像転送手段１１ｂを用いて、サフィックス（数字の部分）の番号の若い順から、Ａエリア、Ｂエリアの画像データを外部機器６へ転送する。
【００３５】
具体的には、以下の順番で転送される。
【００３６】
Ａ11→Ａ12→Ａ13→Ａ14→Ａ15→Ａ16→Ａ21→Ａ22→Ａ23→Ａ24→Ａ25→Ａ26→Ａ31→Ａ32→Ａ33→Ａ34→Ａ35→Ａ36
Ｂ11→Ｂ12→Ｂ13→Ｂ14→Ｂ15→Ｂ16→Ｂ21→Ｂ22→Ｂ23→Ｂ24→Ｂ25→Ｂ26→Ｂ31→Ｂ32→Ｂ33→Ｂ34→Ｂ35→Ｂ36
この際、Ａエリアの画像データとＢエリアの画像データは並列で転送されることになるので、第１の実施の形態と同様に、従来の単一転送路と比較して２倍高速に転送される。
【００３７】
なお、図４では、紙面の都合上、６画素×６画素の画像データとして表記してあるが、あくまで一例であり、横の画素数、縦の画素数は任意の値を選ぶことが出来る。
【００３８】
また、この図を、左若しくは右に９０度回転させたもの、１８０度回転させたもの、鏡像、鏡像を左若しくは右に９０度回転させたもの（図５に、図４を鏡像左９０度回転させた例を示す）、又は鏡像を１８０度回転させたものであっても構わない。
【００３９】
本実施の形態においても、第１の実施の形態と同様に、画像データをＡエリアとＢエリアに２分割してそれぞれ画像転送手段１１ａ，１１ｂにより並列して転送していることより、従来の単一転送路と比較して２倍の速度で転送されるため、データ転送に伴う「ボトルネック」が発生しにくくなる。
【００４０】
また、画像転送手段１１ａ，１１ｂとして同一規格の転送形式を用いているので、画像データの転送速度が同じとなり、画像分割の手法が単純になる。
【００４１】
［第３の実施の形態］
本実施の形態に係る画像データ転送システム２０では、２つの画像転送手段として、図６に示すように、相互に異なる規格の転送形式を有する画像転送手段２１、２２を用いた以外は、第１の実施の形態に係る画像データ転送システムと同様に構成されている。
【００４２】
相互に異なる規格の転送形式を有する画像転送手段としては、例えば、画像転送手段２１として1000BASE-T (IEEE 802.3ab)を、画像転送手段２２としてUSB2.0を用いた組み合わせとすることができる。
【００４３】
この場合、両者の転送速度は違ってくるため、転送速度の比率を考慮して画像データ量の分割比率を決めることができる。例えば、画像転送手段２１の転送速度が、画像転送手段２２の転送速度の２倍ならば、画像転送手段２１には画像データ量の２／３を、画像転送手段２２には１／３を割り当てることで、ほぼ同一の転送時間になるように配分することが可能である。
【００４４】
本実施の形態においても、第１の実施の形態と同様に、画像データをＡエリアとＢエリアに２分割してそれぞれ画像転送手段２１，２２により並列して転送していることより、従来の単一転送路と比較して２倍の速度で転送されるため、データ転送に伴う「ボトルネック」が発生しにくくなる。
【００４５】
また、画像転送手段２１，２２として相互に異なる規格の転送形式を用いることより、ハードウェア構成の自由度が高く、かつコスト面で有利になるケースが見込める。
【００４６】
［第４の実施の形態］
本実施の形態に係る画像データ転送システム３０では、図１に示す２つの画像転送手段１１ａ，１１ｂに代えて、図７に示すように３つの画像転送手段３１ａ，３１ｂ，３１ｃとした以外は第１の実施の形態と同様に構成されている。
【００４７】
画像転送手段３１ａ，３１ｂ，３１ｃは、全て同一の転送形式を使用している。この場合の画像データ転送方法について説明する。
【００４８】
まず、Ｘ線撮影部４ａにおいて、撮影したＸ線を画像データへと変換し、画像蓄積部４ｂでその画像データを蓄積する。
【００４９】
次に、画像分割部４ｃにおいて、画像データを図８に示すように１画素毎に３つのエリア（便宜上、Ａエリア・Ｂエリア・Ｃエリアと呼称する）に分割する。各画像転送手段３１ａ，３１ｂ，３１ｃは、それぞれ、Ａエリア、Ｂエリア、Ｃエリアの画像データのみを転送することになる。
【００５０】
さらに、画像転送部４ｄにより、Ａエリア、Ｂエリア、Ｃエリア毎に、サフィックス（数字の部分）の番号の若い順から外部機器６へ転送する。
【００５１】
具体的には、以下の順番で転送される。
【００５２】
Ａ11→Ａ12→Ａ21→Ａ22→Ａ31→Ａ32→Ａ41→Ａ42→Ａ51→Ａ52→Ａ61→Ａ62
Ｂ11→Ｂ12→Ｂ21→Ｂ22→Ｂ31→Ｂ32→Ｂ41→Ｂ42→Ｂ51→Ｂ52→Ｂ61→Ｂ62
Ｃ11→Ｃ12→Ｃ21→Ｃ22→Ｃ31→Ｃ32→Ｃ41→Ｃ42→Ｃ51→Ｃ52→Ｃ61→Ｃ62
この際、Ａエリアの画像データ、Ｂエリアの画像データ、及びＣエリアの画像データは並列で転送されることになるので、従来の単一転送路と比較して３倍高速に転送される。
【００５３】
なお、図８では、紙面の都合上、６画素×６画素の画像データとして表記してあるが、あくまで一例であり、横の画素数、縦の画素数は任意の値を選ぶことが出来る。
【００５４】
また、この図を、左若しくは右に９０度回転させたもの、１８０度回転させたもの、鏡像、鏡像を左若しくは右に９０度回転させたもの、又は鏡像を１８０度回転させたものであっても構わない。
【００５５】
本実施の形態では、画像データをＡエリア・Ｂエリア・Ｃエリアに３分割して、それぞれ画像転送手段３１ａ，３１ｂ，３１ｃにより並列して転送しているので、従来の単一転送路と比較して３倍の速度で転送される。このため、データ転送に伴う「ボトルネック」が発生しにくくなる。
【００５６】
また、画像転送手段３１ａ，３１ｂ，３１ｃとして同一規格の転送形式を用いているので、画像データの転送速度が同じとなり、画像分割の手法が単純になる。
【００５７】
［第５の実施の形態］
本実施の形態では、画像分割部４ｃにおいて、図９に示すように、画像データを横方向に一つ置きにＡエリア・Ｂエリア・Ｃエリアの３つのエリアに分割するようにした以外は、第４の実施の形態に係る画像データ転送システムと同様である。
【００５８】
転送に際しては、画像分割部４ｃにおいて、画像データを図９に示すように、横方向に一つ置きにＡエリア・Ｂエリア・Ｃエリアの３つのエリアに分割し、画像転送部４ｄにより、画像転送手段３１ａ，３１ｂ，３１ｃによりそれぞれ、Ａエリア・Ｂエリア・Ｃエリアの画像データのみをサフィックス（数字の部分）の番号の若い順から外部機器６へ転送する。
【００５９】
具体的には、以下の順番で転送される。
【００６０】
Ａ11→Ａ12→Ａ13→Ａ14→Ａ15→Ａ16→Ａ21→Ａ22→Ａ23→Ａ24→Ａ25→Ａ26
Ｂ11→Ｂ12→Ｂ13→Ｂ14→Ｂ15→Ｂ16→Ｂ21→Ｂ22→Ｂ23→Ｂ24→Ｂ25→Ｂ26
Ｃ11→Ｃ12→Ｃ13→Ｃ14→Ｃ15→Ｃ16→Ｃ21→Ｃ22→Ｃ23→Ｃ24→Ｃ25→Ｃ26
この際、Ａエリア・Ｂエリア・Ｃエリアの画像データは並列で転送されることになるので、第４の実施の形態と同様に、従来の単一転送路と比較して３倍高速に転送される。
【００６１】
なお、図９では、紙面の都合上、６画素×６画素の画像データとして表記してあるが、あくまで一例であり、横の画素数、縦の画素数は任意の値を選ぶことが出来る。
【００６２】
ここで、画素数が３の倍数で無い場合、余りとなる画像転送手段では、以下のいずれかの方法を選択すれば良い。
【００６３】
（１）各画像転送手段が同一の長さになる様に、ダミーデータ（例えば０）を転送する。
【００６４】
（２）各画像転送手段とも、事前に長さデータを送信しておき、その長さに達したら転送を終了する。
【００６５】
（３）画像データと明確に区別できるＥＮＤデータを送信し、転送を終了する。
【００６６】
さらに、図９を、左若しくは右に９０度回転させたもの、１８０度回転させたもの、鏡像、鏡像を左若しくは右に９０度回転させたもの（図１０に、図９を鏡像左９０度回転させた例を示す）、又は鏡像を１８０度回転させたものであっても構わない。
【００６７】
本実施の形態では、画像データをＡエリア・Ｂエリア・Ｃエリアに３分割して、それぞれ画像転送手段３１ａ，３１ｂ，３１ｃにより並列して転送しているので、従来の単一転送路と比較して３倍の速度で転送される。このため、データ転送に伴う「ボトルネック」が発生しにくくなる。
【００６８】
また、画像転送手段３１ａ，３１ｂ，３１ｃとして同一規格の転送形式を用いているので、画像データの転送速度が同じとなり、画像分割の手法が単純になる。
【００６９】
［その他の実施の形態］
第１〜３の実施の形態では、画像データをＡエリアとＢエリアの２つのエリアに分割するに際して、１画素毎に分割した例（図３）、横方向に１ライン毎に分割した例（図４）、縦方向に１ライン毎に分割した例（図５）を示したが、それ以外にも、図１１（ａ）のように上半分と下半分に分割したり、図１１（ｂ）のように右半分と左半分に分割したりすることもできる。
【００７０】
また、第４，５の実施の形態では、画像データをＡエリアとＢエリアとＣエリアの３つのエリアに分割するに際して、１画素毎に分割した例（図８）、横方向に１ライン毎に分割した例（図９）、縦方向に１ライン毎に分割した例（図１０）を示したが、それ以外にも、図１２（ａ）のように上、中、下に分割したり、図１２（ｂ）のように右、中、左に分割したりすることもできる。
【００７１】
さらに、第４の実施の形態では、３つの画像転送手段として同一の転送形式を用いた例を示したが、そのうちの１つが異なる転送形式としたり、３つ全てが互いに異なる転送形式としたりしても良い。
【００７２】
さらに、上述の実施の形態では、画像転送手段を２つにした場合と３本にした場合の例を説明したが、上述した実施の形態の記載に基づいて画像転送手段を４つ以上とすることもできる。
【符号の説明】
【００７３】
１・・・患者診察室
２・・・医師診断室
３・・・Ｘ線発生器
４・・・Ｘ線平面検出器
４ａ・・・Ｘ線撮影部
４ｂ・・・画像蓄積部
４ｃ・・・画像分割部
４ｄ・・・画像転送部
５・・・Ｘ線コントローラ
６・・・外部機器
７・・・制御装置
８・・・Ｘ線平面検出器
８ａ・・・Ｘ線撮影部
８ｂ・・・画像蓄積部
８ｃ・・・画像転送部
９・・・画像データ転送手段
１０・・・画像データ転送システム
１１ａ・・画像転送手段
１１ｂ・・画像転送手段
２０・・・画像データ転送システム
２１・・画像転送手段
２２・・画像転送手段
３０・・・画像データ転送システム
３１ａ・・画像転送手段
３１ｂ・・画像転送手段
３１ｃ・・画像転送手段
５０・・・画像データ転送システム
【図１】
2012152507.tif 000003
【図２】
2012152507.tif 000004
【図３】
2012152507.tif 000005
【図４】
2012152507.tif 000006
【図５】
2012152507.tif 000007
【図６】
2012152507.tif 000008
【図７】
2012152507.tif 000009
【図８】
2012152507.tif 000010
【図９】
2012152507.tif 000011
【図１０】
2012152507.tif 000012
【図１１】
2012152507.tif 000013
【図１２】
2012152507.tif 000014
【図１３】
2012152507.tif 000015
【図１４】
2012152507.tif 000016